(57)【要約】座椅子状態から適度な負荷を伴う屈伸運動を行うことができる運動座椅子。【目的】座椅子状態で使用する運動機器の提供。【構成】互いに連結した背当て部、座部、脚部によって構成される人体保持フレームを、ベースフレームの前端部と後端部で支持し、座椅子に着座した状態から、上体の屈伸動作によって背当てを傾動させ、背当てが水平を超えて傾くまで、背当て部、座部、脚部が連動して人体を自然な姿勢で保持し、かつ適当な運動負荷を付与し、また背当てを前に倒して折り畳むことができる運動座椅子。【選択図】        図１
2004305647.tif 000002
【特許請求の範囲】
【請求項１】
互いに連結された座椅子状の身体保持フレームの背当て部を、床面によって支えられたベースフレームの後部に水平軸回りに回転自在に連結し、また身体保持フレームの脚部の先端部を、ベースフレームの前端部に水平軸回りに回転自在に連結し、身体保持フレームに着座した身体の屈伸運動によって、身体保持フレームの背当て部が、座部および脚部を連結したまま、座椅子状態から水平状態を超えて反り返ることができるまで傾動できるように構成された運動座椅子。
【請求項２】
ベースフレームに設けられた支持部材で、互いに連結された身体保持フレームの座部もしくは脚部を下側から保持し、あるいは座部と脚部との間の連結部に開き止めを設けるなどして、座部と脚部との間の折れ角が、約１６５°以下に保たれるように構成された、請求項１記載の運動座椅子。
【請求項３】
ベースフレームと背当て部との間にストッパーを設け、水平状態を超えて反り返った状態にある身体保持フレームの背当て部を保持するように構成された、請求項１記載の運動座椅子。
【請求項４】
互いに連結された座椅子状の身体保持フレームの相互間もしくは、身体保持フレームとベースフレームとの間に、バネあるいはダンパーもしくは制動力によって負荷を変化させることができる装置を設け、身体保持フレームの揺動作動に加えられる負荷を調節できるように構成された、請求項１記載の運動座椅子。
【請求項５】
ベースフレームの前部に前後方向のスライド溝を設け、スライド溝の前端部を下方に曲げ、身体保持フレームの脚部の先端部に設けられた支持軸をこのスライド溝に嵌合し、該支持軸がスライド溝の前端部の下方に曲げた部分に落とし込まれた時は、着座した身体の屈伸運動によって、座椅子状の身体保持フレームの背当て部が、座部および脚部を連結したまま、座椅子状態から水平状態を超えて反り返るまで傾動できるようにし、身体保持フレームの脚部の先端部を持ち上げて、背当てを前に傾けた時、該支持軸がスライド溝の前端部の下方に曲げた部分から外れて、前後方向のスライド溝に移行し、背当てを前に倒して畳むことができるように構成された、請求項１記載の運動座椅子。
【発明の詳細な説明】
【０００１】
【産業上の利用分野】
この発明は、高齢者や障害者、病弱者を含む一般人のための座椅子状の運動機器に関する。
【０００２】
【従来の技術】
わが国では一般に、床面に座る姿勢で生活する場合が多く、このために座椅子が多く用いられるが、これを利用した運動機器はこれまで例がなかった。
【０００３】
【発明が解決しようとする課題】
座椅子の背当ての傾動を利用して、室内での有効かつ安全な運動を行う場合、互いに連結された座椅子状の身体保持フレームの、背当ての傾動に連動する座部と脚部が、人体を常に無理のない姿勢に保つこと、身体保持フレームの座部と脚部のなす角度が、背当ての傾動に連動する間に死点状態もしくは下側に凸の状態になって復帰できなくなるのを避けること、背当てが過大な反り返り角度になるのを避ける必要があること、運動の負荷を自在に調節できること、収納や搬送のためには小型軽量で、且つコンパクトに折り畳めること、などが課題となる。
【０００４】
【課題を解決しようとする手段】
座椅子の背当ての傾動に連動して、互いに連結された座椅子状の身体保持フレームの座部と脚部が、人体を常に無理のない姿勢に保つように、ベースフレームへの取り付け位置と、それぞれのフレームの連結部間の距離が決められる。
【０００５】
座椅子状態の時、背当てを前に傾けると、座部の脚部に対する角度が１８０°の死点状態になったり、１８０°を超えて下方へ曲がり、正常な作動ができなくなることを防ぐために、ベースフレームに座部もしくは脚部を下側から保持する支持部材を設け、あるいは座部と脚部との間の連結部に開き止めを設けるなどして、座部と脚部との間の折れ角が、約１６５°以下に保たれるようにする。
【０００６】
ベースフレームと背当て部との間にストッパーを設け、背当て部の反り返りが過大になるのを防ぐようにする。
【０００７】
互いに連結された座椅子状の身体保持フレームとベースフレームとの間に、バネあるいはダンパーもしくは制動力によって負荷を変更できる装置を設け、身体保持フレームの揺動運動の負荷を調節できるようにする。
【０００８】
身体保持フレームの脚部の先端部に設けられた支持軸が、ベースフレームの前部に設けられた、前後方向のスライド溝の前端部の下方に曲げた部分に落とし込まれた時は、座椅子状の身体保持フレームが、着座した使用者の上体の屈伸運動によって揺動できるようにし、脚部の先端部を持ち上げて、背当てを前に傾けた時は、支持軸がスライド溝の下方に曲げた前端部から外れて、前後方向のスライド溝に移行し、背当てを前に倒して畳むことができるようにする。
【０００９】
【作用】
座椅子の背当ての傾動に連動して、互いに連結された座椅子状の身体保持フレームの座部と脚部が、人体を常に無理のない姿勢に保つように、座椅子の状態の時は、背当ての床面に対する角度が約９５°、背当ての座部に対する角度が約９０°、座部の床面に対する角度が約５°座部の脚部に対する角度が約１６５°となるように、ベースフレームへの連結位置と、それぞれのフレームの連結部間の距離が人体に合わせて決められる。
【００１０】
これらの、座椅子の状態の時の背当ての床面に対する角度が約９５°、背当ての座部に対する角度が約９０°という値は、着座姿勢としては体型によってはやや苦しい角度であるが、着座した使用者に身体の屈伸運動への意欲を起こさせる姿勢として、むしろ好ましい作用がある。
【００１１】
背当てのベースフレームとの連結位置は、座椅子の状態の時、背当てと座部との連結位置より、約１３５ｍｍほど上方に設けられている。このため着座した使用者による身体の屈伸運動の際、背当ての傾動に連動して、座部および脚部が人体の重量を支えたままほぼ同じ高さを昇降することになり、上体の反り返り運動に対して適当な負荷を生じる作用がある。
【００１２】
また、この背当てのベースフレームとの連結位置は、背当てが水平状態になった場合には、人体のほぼ重心付近の下に位置して、人体を平衡状態に保つため、水平状態付近にまで上体が反り返った時には、身体に不必要な負荷が加わらないことになり、反り返った姿勢を保ち易く、また着座姿勢への復帰を容易にする作用がある。
【００１３】
座椅子の状態の時の背当てのベースフレームへの取り付け位置と、背当てと座部との連結位置との距離は、大きくなるにしたがって座部および脚部が人体の重量を支えたまま昇降する距離を増すことになり、上体の反り返り運動に対する負荷を大きくする作用がある。
【００１４】
座椅子の状態の時、または背当てを倒して折り畳む時も、座部と脚部の折れ角が約１６５°以下となるように、ベースフレームの上方にクロスメンバーなどの支持部材を設け、この支持部材で座部もしくは脚部を下側から保持し、あるいは座部と脚部との間の連結部に開き止めを設けることによって、座部と脚部の折れ角が１８０°付近の死点状態、もしくは１８０°を超えて下方へ曲がり、正常な作動ができなくなることを防ぐ作用がある。なお、この支持部材は、ベースフレームに取り付けた握り棒に設けることができる。
【００１５】
着座した使用者が上体の反り返りを伴う屈伸運動を行う時、背当ての角度が水平を超えて約１０°まで回転した時、ベースフレームの後方に設けられたクロスメンバーなどの支持部材によって傾動が阻止されることによって、過大な反り返りによる身体への有害な負荷を防ぐ作用がある。
【００１６】
背当ての角度が水平を超えて止まるまで回転した時、背当て、座面および脚部の各フレームは互いにほぼ同じ角度に折れ曲がり、人体が自然な姿勢で反り返ることができるように、互いの位置関係が決められる。なお、身体保持フレームには、実際に身体を支えるための、キャンバスもしくはクッションが設けられる。
【００１７】
背当てと座部の連結部、もしくは背当てとベースフレームの連結部に、捩子を締め付けて制動力を自在に調節できる制動装置を設け、身体保持フレームの揺動を制動できるようにすることによって、運動の負荷を自在に調節できる作用がある。なお、背当てと座部の間、あるいは背当てまたは座部とベースフレームとの間に、バネあるいはダンパーを設けて運動の負荷を調節できるようにしても良い。
【００１８】
【発明の効果】
人体の着座姿勢から反り返り運動のすべての範囲で、背当て部、座面部、脚部の各フレームの相互の角度、ベースフレームとの連結位置、およびそれぞれのフレームの連結部間の距離が、人体に合わせて最適に決められることによって、座椅子の背当ての傾動に連動して、互いに連結された身体保持フレームが、人体を常に無理のない姿勢に保つ効果がある。
【００１９】
座椅子の状態の時の背当ての角度および座部の角度は、着座姿勢としては体型によってはやや苦しい角度であるが、着座した使用者に身体の屈伸運動への意欲を起こさせる姿勢として、むしろ好ましい効果がある。
【００２０】
背当てのベースフレームとの連結位置は、座椅子の状態の時、背当てと座部との連結位置より、約１３５ｍｍほど上方に設けられているため、座部および脚部が人体の重量を支えたまま、ほぼ同じ高さを昇降することになり、屈伸運動に対して適当な負荷を生じる効果がある。
【００２１】
また、この背当てのベースフレームとの連結位置は、背当てが水平状態の時、ほぼ人体の重心の下に位置して、人体を平衡状態に保つため、水平状態にまで上体が反り返った時には、身体に不必要な負荷が加わらないことになり、反り返った姿勢を保ち易く、また着座姿勢への復帰を容易にする効果がある。
【００２２】
座椅子の状態の時、または背当てを倒して折り畳む時も、座部と脚部の折れ角が約１６５°以下となるように制約されているために、いかなる作動状態でも座部と脚部が正常な作動を保つ効果がある。
【００２３】
背当ての角度が水平を大きく超えて回転しないよう、ベースフレームの後方に設けられたクロスメンバーなどの支持部材によって背当ての傾動が阻止されるため、過大な反り返りによる身体への有害な負荷を防ぐ効果がある。
【００２４】
背当てと座部の連結部、もしくは背当てとベースフレームの連結部に、捩子を締め付けて制動力を自在に調節できる制動装置を設け、身体保持フレームの揺動を制動できるようにすることによって、運動の負荷を自在に調節でき、また任意の位置に固定できる効果がある。
【００２５】
【実施例】
以下、本発明の具体的な実施例につき、図面に沿って詳述する。
図１は、本装置の座椅子状態を示す側面図、図２は、背当てをやや傾けた状態を示す側面図、図３は、背当てを最も傾けて人体が反り返った状態を示す側面図、図４は、背当てを前に畳んだ状態を示す側面図である。
【００２６】
床面１によって支えられる、左右一対の前後方向の部材２を有するベースフレームは、後端部を上前方に曲げ、その先端部に水平回転軸３を設け、部材２の前端部には、下方に曲げた前端部４を有する前後方向のスライド溝５が設けられる。
前後方向の部材２にはまた、左右一対のハンドレール６が設けられ、その一部にクロスメンバー７が設けられる。
【００２７】
背当て部８と、座部９は互いに水平回転軸１０で連結され、座部９と脚部１１は互いに水平回転軸１２で連結され、これらの互いに連結された８、９、１１の３個の部分で人体保持フレームを構成する。
【００２８】
背当て部８はブラケット１３を介して、水平回転軸３に回転自在に連結され、後方に回転して水平状態から約１０°を超えて傾いた状態で、部材２の後端に設けられたクロスメンバー１４によって支えられる。
また、互いに水平回転軸１２で連結された座部９と脚部１１は、座椅子状態の時、互いの折れ角が約１６５°を超えないように、クロスメンバー７によって支えられる。
脚部１１の前端部には、左右一対の支持軸１５が設けられ、スライド溝５に滑合してはめ込まれる。
【００２９】
このように構成することにより、脚部１１の前端部に設けられた支持軸１５が、スライド溝５の下方に曲げた前端部４に落とし込まれている状態では、背当て部８が回転する時、背当て部８と座部９、脚部１１は連動して、人体保持フレームを構成しながら、人体の姿勢を図１の座椅子状態から、図２の状態を経て、図３のように反り返った状態まで、自然な姿勢を保ちながら変化させる。
【００３１】
脚部１１の先端部を持ち上げて、背当て部８を前に傾けた時は、脚部１１の支持軸１５がスライド溝５の下方に曲げた前端部４から外れて、前後方向のスライド溝に移行し、背当て部８を前に倒して畳むことができる。この間、座部９と脚部１１は、互いの折れ角が約１６５°を超えないように、クロスメンバー７によって支えられる。
【００３２】
背当て部８と座部９の連結部１０に、軸回りの回転作動の制動力を自在に調節できる締め付け捩子１６を設け、身体保持フレームの揺動を制動できるようにすることによって、運動の負荷を自在に調節でき、また任意の位置に固定できる。
【図面の簡単な説明】
【図１】座椅子状態を示す側面図
【図２】背当てをやや傾けた状態示す側面図
【図３】背当てを最も傾けて人体が反り返った状態を示す側面図
【図４】背当てを前に畳んだ状態を示す側面図
【符号の説明】
（１）  床面
（２）  ベースフレームの前後方向の部材
（３）  ベースフレームの後部の水平回転軸
（４）  スライド溝の前端部
（５）  スライド溝
（６）  ハンドレール
（７）  ハンドレールのクロスメンバー
（８）  背当て部
（９）  座部
（１０）  背当て部と座部を連結する水平回転軸
（１１）  脚部
（１２）  座部と脚部を連結する水平回転軸
（１３）  背当て部のブラケット
（１４）  ベースフレームの後部のクロスメンバー
（１５）  脚部の支持軸
（１６）  締め付け捩子
【図１】
2004305647.tif 000003
【図２】
2004305647.tif 000004
【図３】
2004305647.tif 000005
【図４】
2004305647.tif 000006